(57)【特許請求の範囲】
【請求項１】
屋根の棟部に設けられる棟板２と、
前記棟板２を棟木６に固定するためのボルト７と、
前記棟板２の少なくとも上面部を覆うようにして該棟板２に取り付けられる棟カバー１とを有し、
前記棟板２は、長方形の金属板を、その長手方向の中心線又はこの中心線の近傍にこの中心線と平行な線として想定される折り曲げ線を境に屋根形状に合わせて左右に折り曲げられ、かつ、前記折り曲げ線上もしくはその近傍に、前記ボルト７を通すボルト穴２１と、排気穴２２とが１又は２以上形成されたものであり、
前記棟カバー１は、長方形の金属板を、その長手方向の中心線又はこの中心線の近傍にこの中心線と平行な線として想定される基準線に沿って断面が上方に向けて膨らむ形状に形成された頂部１１と、この頂部１１の左右を下方に向けて延長して形成された側面部１２と、この側面部１２の下部を内側上方に向けて折り返して形成された折り返し部１３と、前記頂部１１の内側に下方に向けて取り付けられるとともに前記ボルト７の上部を挿入できるように筒状に形成されたヘッドキャップ１４とを備えたものであり、
前記ボルト７は、棒状をなしたもので、その先端部にネジ部７２が形成され、中間部にフランジ部７１が設けられたものであって、
前記棟板２を屋根の棟部に配置し、前記ボルト７を棟板２のボルト穴２１を通じて棟木６にそのネジ部７２をねじ込むことにより固定し、前記ボルト７の上部からスプリング７３を嵌め込み、前記棟カバー１のヘッドキャップを前記ボルト７の上部に差し込み、前記スプリング７３が前記ヘッドキャップ１４の下端部と前記フランジ部７１とによって圧縮される状態で前記棟板２の端部２４が前記棟カバー１の折り返し部１３の上面に重なるように配置することによって、前記棟板２及び棟カバー１を固定するようにしたことを特徴とする屋根棟。
【請求項２】
前記棟カバー１の長手方向の端部には排気部１５が設けられ、この排気部１５に対応する位置における前記棟カバー１の内部には可動板１６が前記棟カバー１の内部に近接して設けられており、
前記排気部１５は複数の固定排気穴１５ａが形成されたものであり、
前記可動板１６は、前記棟カバー１の排気部１５の内側に固定された回転軸１６ｂに回転可能に取り付けられたものであり、かつ、前記排気部１５の複数の固定排気穴１５ａに対応する複数の可動板排気穴１６ａが形成されたものであり、かつ、その下部には、一端が屋根棟１００の固定部に固定されたバイメタル１７の可動端が固定されたものであり、
前記バイメタル１７は、前記棟カバー１内の温度に依存して、前記可動板１６の回転方向の位置を制御することによって、前記排気部１５の固定排気穴１５ａと前記可動板排気穴１６ａとの重なり度合いを制御し、前記棟カバー１内の温度に依存して前記排気部１５の固定排気穴１５ａと前記可動板排気穴１６ａとを通じての排気度合いを自動的に制御するものであることを特徴とする請求項１に記載の屋根棟。
【発明の詳細な説明】
【技術分野】
【０００１】
本発明は、強い風雨、地震、屋根裏の湿気、高温から建物を省エネ的に守る構造を有し、しかも震災などで損壊した場合にも迅速に修復できる屋根棟に関する。
【背景技術】
【０００２】
図８は従来の屋根棟の構造の説明図である。図８に示されるように、従来の屋根棟１００は、例えば、屋根葺き材１０３に棟板１０２が固定され、この棟板１０２に棟板１０２を覆うようにして棟カバー１０１が釘等で固定されているものである。なお、屋根葺き材１０３は、野地板１０４に固定され、この野地板１０４は、たる木１０５に固定され、このたる木１０５は、棟木１０６に固定されているものである。
【発明の概要】
【発明が解決しようとする課題】
【０００３】
上記従来の屋根棟は、棟カバー１０１を、棟板１０２に釘等で固定したものなので、強度不足であり、強風や地震で損壊することも少なくない。さらに、棟は一番傷みやすい部分でもある。特に棟板１０２は木製なので、結露等により劣化し、やせたり腐ったりして釘が浮いて効かなくなることがある。特に、今次の東北関東大震災において、その弱点が目立ち、損壊した家屋も少なくなかった。さらには、雨の浸入を防ぐ目的のため、棟カバー１０１を密閉してしまうので換気が出来ず、屋根裏に湿気や熱気がこもり易くなってしまうものでもあった。
【０００４】
本発明の目的は、屋根棟の強度が得られ、雨水の浸入を防ぎ、換気ができ、かつ、簡単・迅速に施工ができ、台風や地震にも十分な耐久性を有し、さらには、東北関東大震災で損壊した屋根棟も非常に迅速な修復を可能にする屋根棟を提供することである。
【課題を解決するための手段】
【０００５】
上述の課題を解決するための手段は以下の通りである。
（１）屋根の棟部に設けられる棟板２と、
この棟板２を棟木６に固定するためのボルト７と、
前記棟板２の少なくとも上面部を覆うようにして該棟板２に取り付けられる棟カバー１とを有し、
前記棟板２は、長方形の金属板を、その長手方向の中心線又はこの中心線の近傍にこの中心線と平行な線として想定される折り曲げ線を境に屋根形状に合わせて左右に折り曲げられ、かつ、前記折り曲げ線上もしくはその近傍に、前記ボルト７を通すボルト穴２１と、排気穴２２とが１又は２以上形成されたものであり、
前記棟カバー１は、長方形の金属板を、その長手方向の中心線又はこの中心線の近傍にこの中心線と平行な線として想定される基準線に沿って断面が上方に向けて膨らむ形状に形成された頂部１１と、この頂部１１の左右を下方に向けて延長して形成された側面部１２と、この側面部１２の下部を内側上方に向けて折り返して形成された折り返し部１３と、前記頂部１１の内側に下方に向けて取り付けられるとともに前記ボルト７の上部を挿入できるように筒状に形成されたヘッドキャップ１４とを備えたものであり、
前記ボルト７は、棒状をなしたもので、その先端部にネジ部７２が形成され、中間部にフランジ部７１が設けられたものであって、
前記棟板２を屋根の棟部に配置し、前記ボルト７を棟板２のボルト穴２１を通じて棟木６にそのネジ部７２をねじ込むことにより固定し、前記ボルト７の上部からスプリング７３を嵌め込み、前記棟カバー１のヘッドキャップ１４を前記ボルト７の上部に差し込み、前記スプリング７３が前記ヘッドキャップ１４の下端部と前記フランジ部７１とによって圧縮される状態で前記棟板２の端部２４が前記棟カバー１の折り返し部１３の上面に重なるように配置することによって、前記棟板２及び棟カバー１を固定するようにしたことを特徴とする屋根棟。
（２）前記棟カバー１の長手方向の端部には排気部１５が設けられ、この排気部１５に対応する位置における前記棟カバー１の内部には可動板１６が前記棟カバー１の内部に近接して設けられており、
前記排気部１５は複数の固定排気穴１５ａが形成されたものであり、
前記可動板１６は、前記棟カバー１の排気部１５の内側に固定された回転軸１６ｂに回転可能に取り付けられたものであり、かつ、前記排気部１５の複数の固定排気穴１５ａに対応する複数の可動板排気穴１６ａが形成されたものであり、かつ、その下部には、一端が屋根棟１００の固定部に固定されたバイメタル１７の可動端が固定されたものであり、
前記バイメタル１７は、前記棟カバー１内の温度に依存して、前記可動板１６の回転方向の位置を制御することによって、前記排気部１５の固定排気穴１５ａと前記可動板排気穴１６ａとの重なり度合いを制御し、前記棟カバー１内の温度に依存して前記排気部１５の固定排気穴１５ａと前記可動板排気穴１６ａとを通じての排気度合いを自動的に制御するものであることを特徴とする（１）に記載の屋根棟。
【発明の効果】
【０００６】
上述の手段（１）によれば、棟板２及び棟カバー１を金属板で構成し、これらをボルト７によって棟木６に直接固定することを可能にしたので、極めて強固な固定が可能になり、しかも、棟板２及び棟カバー１を金属板で構成することによって強度や耐久性が高くかつ雨水の浸入防止を容易にし、台風や地震にも十分な耐久性を有するものにしている。しかも、棟板２に換気穴を設けたことにより、従来は不可能であった換気ができるようになった。さらには、ボルト７を棟木６にねじ込んで、棟板２の端部２４を棟カバー１の折り返し部１３の上面に重なるように配置するだけであるから、非常に簡単・迅速に施工ができる。したがって、修復が急務であるにもかかわらず、いまだ修復ができていない東北関東大震災で損壊した屋根棟の修復に利用すれば、非常に迅速な修復ができるので、きわめて有用である。また、上述の手段（２）によれば、電気等を全く消費することなく適切な換気ができるので、極めて省エネ的であり、地球温暖化阻止のエコ運動にも貢献可能となる。
【図面の簡単な説明】
【０００７】
【図１】本発明の実施例にかかる屋根棟の構造を示す断面図である。
【図２】本発明の実施例にかかる屋根棟の外観図である。
【図３】棟板２の平面図である。
【図４】棟板２の断面図（図３のIV−IV線断面図）である。
【図５】本発明の実施例２にかかる屋根棟の外観図である。
【図６】本発明の実施例２にかかる屋根棟の構造を示す断面図（図５のVI−VI線断面図）である。
【図７】可動板１６の説明図である。
【図８】従来の屋根棟の構造説明図である。
【発明を実施するための形態】
【０００８】
（実施例１）
図１は、本発明の実施例１にかかる屋根棟の構造を示す断面図（図２のＩ−Ｉ線断面図）であり、図２は、本発明の実施例１にかかる屋根棟の外観図であり、図３は棟板２の平面図であり、図４は棟板２の断面図（IV−IV線断面図）である。以下、これらの図面を参照にしながら本発明の実施例１にかかる屋根棟を説明する。
【０００９】
本実施例にかかる屋根棟１００は、屋根の頂上部である棟部に設けられる棟板２と、この棟板２を棟木６に固定するためのボルト７と、前記棟板２の少なくとも上面部を覆うようにして該棟板２に取り付けられる棟カバー１とを有する。
【００１０】
前記棟板２は、長方形の金属板を、その長手方向の中心線又はこの中心線の近傍にこの中心線と平行な線として想定される折り曲げ線を境に屋根形状に合わせて左右に折り曲げられ、かつ、前記折り曲げ線上もしくはその近傍に、前記ボルト７を通すボルト穴２１と、排気穴２２とが複数個形成されたものである。そして、なお、瓦屋根の場合には、瓦３０に用いられる雨押さえ３１を抑えるために、棟板２の端部２４の近傍に、突起状の押出し受け爪２３が設けられている。
【００１１】
金属板としては、例えば、厚さ１．２〜２．０ｍｍ（例えば１．６ｍｍ）程度の防錆鋼板であるボンデ鋼板などを用いることができる。また、ボルト穴２１は、後述するボルト７の径に合わせた径とするが、７〜１２ｍｍ（例えば９ｍｍφ）程度の径の穴を形成しておく。また、排気穴２２としては、２０〜４０ｍｍ（例えば３０ｍｍφ）程度の径とし、これらを設ける間隔は、２００〜６００ｍｍ（例えば４５０ｍｍ）程度にする。
【００１２】
前記棟カバー１は、長方形の金属板を、その長手方向の中心線又はこの中心線の近傍にこの中心線と平行な線として想定される基準線に沿って断面が上方に向けて膨らむ形状に形成された頂部１１と、この頂部１１の左右を下方に向けて延長して形成された側面部１２と、この側面部１２の下部を内側上方に向けて折り返して形成された折り返し部１３と、前頂部１１の内側に下方に向けて取り付けられるとともに後述するボルト７の上部を挿入できるように筒状に形成されたヘッドキャップ１４とを備えたものである。
【００１３】
このヘッドキャップ１４は、筒状体を前記頂部１１の内側形状にあわせた形状の鋼板に溶接し、この鋼板を前記頂部１１の内側に溶接して形成したものである。したがって、この棟カバー１内を棟に平行して流れる空気の空気抵抗が小さい構造となっている。なお、金属板としては、例えば、厚さ０．３〜０．６ｍｍ（例えば０．４ｍｍ）程度のガルバリウム鋼板などを用いることができる。また、この実施例１においては、棟カバー１の長手方向の端部には排気筒８が取り付けられており、棟板２の排気穴２１を通じて排気された熱気等がこの排気筒８を通じて外に排気されるようになっている。この排気筒８内には、防虫網８１や遮水板８２等が設けられている。
【００１４】
ボルト７は、鋼や鉄、銅等の金属の軸棒状のもので、その先端部にネジ部７２が形成され、中間部にはフランジ部７１が形成され、上端部には、ねじ込む際のインパクトレンチ等を係合させるための角部７４が形成されたものである。フランジ部７１は、例えば、ボルト７１にワッシャーを嵌め込んで溶接して固定することによって形成してもよい。ボルト７の太さ及び長さは、屋根棟１００の構造、あるいは、棟板２や棟カバー１の厚さや大きさに応じて決められるが、通常は、太さ７〜９ｍｍ（例えば９ｍｍ）程度、長さ１５０〜２００ｍｍ程度であればよい。
【００１５】
ボルト７の上部には、後述するように、スプリング７３がはめ込まれる。スプリング７３は、ボルト７の太さ・長さ、棟板２や棟カバー１の大きさ、あるいは、屋根棟１００の構造・大きさなどに応じて選定される。用いる材質も通常のスプリングに用いられる材質でよい。
【００１６】
前記棟板２及び棟カバー１は、以下のようにして固定される。すなわち、前記棟板２を屋根の棟部に配置し、前記ボルト７を棟板２のボルト穴２１を通じて棟木６にそのネジ部７２をねじ込むことにより固定する。次に、その上からスプリング７３を嵌め込む。次に、前記棟カバー１のヘッドキャップ１４を前記ボルト７の上部に差し込み、前記スプリング７３が前記ヘッドキャップ１４の下端部と前記フランジ部７１とによって圧縮される状態で前記棟板２の端部２４が前記棟カバー１の折り返し部１３の上面に重なるように配置するようにする。
【００１７】
これにより、前記棟板２及び棟カバー１が棟木６に固定されることになる。なお、瓦屋根の場合には、瓦３０に用いられる雨押さえ３１が押出し受け爪２３によって押さえられつつ、前記棟板２及び棟カバー１が棟木６にしっかりと固定されることになる。このとき、雨押さえ３１がコーキング材３２によって防水処理が施されるなどの通常の施工が行われることは勿論である。
【００１８】
上述の実施例１によれば、棟板２をボンデ鋼板で構成し、棟カバー１をガルバリウム鋼板で構成し、これらをボルト７によって棟木６に直接固定することを可能にしたので、極めて強固な固定が可能になり、しかも、棟板２及び棟カバー１をこれらの鋼板で構成することによって強度や耐久性が高くかつ雨水の浸入防止を容易にし、台風や地震にも十分な耐久性を有するものにしている。しかも、棟板２に換気穴を設けたことにより、従来は不可能であった換気ができるようになった。これにより、換気扇を設けることなく換気ができるので省エネに貢献し、エコの視点から極めて有用である。さらには、ボルト７を棟木６にねじ込んで、棟板２の端部２４を棟カバー１の折り返し部１３の上面に重なるように配置するだけであるから、非常に簡単・迅速に施工ができる。したがって、修復が急務であるにもかかわらず、いまだ修復ができていない東北関東大震災で損壊した屋根棟の修復に利用すれば、非常に迅速な修復ができるので、きわめて有用である。
【００１９】
（実施例２）
図５は、本発明の実施例２にかかる屋根棟の外観図であり、図６は、本発明の実施例２にかかる屋根棟の構造を示す断面図（図５のVI−VI線断面図）であり、図７は、可動板１６の説明図である。以下、これらの図面を参照にしながら本発明の実施例２にかかる屋根棟を説明する。
【００２０】
実施例２にかかる屋根棟１００は、実施例１における屋根棟１００の排気筒８を設ける代わりに、棟カバー１の端部を塞ぎ、そこに複数の固定排気穴１５ａを形成した排気部１５を設け、この排気部１５に対応する位置における前記棟カバー１の内部に、該棟カバー１に近接して可動板１６を設けたものである。
【００２１】
前記排気部１５は複数（数十個）の固定排気穴１５ａが形成されたものである。また、前記可動板１６は、前記棟カバー１の排気部１５の内側に固定された回転軸１６ｂに回転可能に取り付けられたものである。また、前記可動板１６には、前記排気部１５の複数の固定排気穴１５ａに対応する複数の可動板排気穴１６ａが形成されており、さらに、その下部には、一端が屋根棟１００の固定部に固定されたバイメタル１７の可動端が固定されたものである。
【００２２】
前記バイメタル１７は、前記棟カバー１内の温度に依存して、前記可動板１６の回転方向の位置を制御することによって、前記排気部１５の固定排気穴１５ａと前記可動板排気穴１６ａとの重なり度合いを制御し、前記棟カバー１内の温度に依存して前記排気部１５の固定排気穴１５ａと前記可動板排気穴１６ａとを通じての排気度合いを自動的に制御するものである。前記バイメタル１７としては、温度に依存して一方の端部が所定の距離動く周知のバイメタルを用いることができる。例えば、数十度の温度変化によって、一方の端部が数十ｍｍ程度移動するものであれば十分である。この実施例２によれば、電気等を全く消費することなく適切な換気ができるので、極めて省エネ的であり、地球温暖化阻止のエコ運動にも貢献可能となる。
【産業上の利用可能性】
【００２３】
本発明は、強い風雨、地震、屋根裏の湿気、高温から建物を省エネ的に守る構造を有し、しかも震災などで損壊した場合にも迅速に修復できる屋根棟を施工するときに利用できる。
【符号の説明】
【００２４】
１  棟カバー
２  棟板
３  コロニアル
４  下地ベニヤ
５  たる木
６  棟木
７  ボルト 
【図１】
0005677925.tif 000002
【図２】
0005677925.tif 000003
【図３】
0005677925.tif 000004
【図４】
0005677925.tif 000005
【図５】
0005677925.tif 000006
【図６】
0005677925.tif 000007
【図７】
0005677925.tif 000008
【図８】
0005677925.tif 000009